(57)【特許請求の範囲】
【請求項１】
前身頃と、後身頃と、を少なくとも有するシャーシーと、該シャーシーの少なくとも一部に配設される液透過性の表面シートと、該表面シートの厚さ方向における一方側に配設される液不透過性の裏面シートと、前記表面シートと前記裏面シートとの間に配設される液保持性の吸収体と、を備える使い捨ておむつであって、
前記前身頃には、該使い捨ておむつの長手方向に延びて幅方向を二分する略中心線を跨いで互いに離間した点のそれぞれを結ぶ切り離し線に沿って前記前身頃の所定の部位を切り離し可能な開口可能部、又は、前記前身頃の所定の部位を開口可能な開口部が形成され、
前記開口可能部又は前記開口部の両端には、該両端の破断を防止する補強用部材が設けられているとともに、前記両端近傍には、伸縮可能な弾性部材が設けられており、
該使い捨ておむつは、前記前身頃と前記後身頃とを所定の位置において、予め又は装着時に接合又は係止させることにより、胴開口部と、一対の脚開口部と、を有するパンツ形状に形成可能であり、
前記パンツ形状における前記胴開口部近傍の前記後身頃の略中央部と、前記開口可能部近傍又は前記開口部近傍と、を前記パンツ形状における外周に沿って繋ぐ領域である開口伸縮領域において、少なくともその一部が伸張若しくは伸縮可能に形成され、
前記開口伸縮領域は、前記前身頃の前記開口可能部、又は前記開口部の前記パンツ形状における股下方向側の所定の位置に形成される弾性開口領域を含む使い捨ておむつ。
【請求項２】
前記開口可能部又は前記開口部の前記両端に、円又は楕円形状の穴が配置されている請求項１に記載の使い捨ておむつ。
【請求項３】
前記開口可能部又は前記開口部の前記両端に、該前記開口可能部又は前記開口部の延びる方向とは異なる方向に向かう切り込みが形成されている請求項１に記載の使い捨ておむつ。
【請求項４】
前記シャーシーは、複数のシートにより構成され、
前記補強用部材は、前記複数のシートにおけるシートとシートの間に挟みこんで接合されている請求項１〜３のいずれか１項に記載の使い捨ておむつ。
【請求項５】
前記吸収体は、略縦長に形成されるとともに、少なくとも前記前身頃に配置されており、
前記開口可能部又は前記開口部は、前記前身頃における前記吸収体の幅方向に延びる一辺から離間した位置に形成される請求項１〜４のいずれか１項に記載の使い捨ておむつ。
【請求項６】
前記開口伸縮領域における非伸張時に対する伸張時の伸張倍率が、少なくとも１．１倍以上に伸張可能に形成される請求項１〜５のいずれか１項に記載の使い捨ておむつ。
【請求項７】
前記開口伸縮領域は、前記後身頃における前記胴開口部近傍の前記後身頃の全部又は一部に形成される弾性後身頃領域を含む請求項１〜６のいずれか１項に記載の使い捨ておむつ。
【請求項８】
前記開口伸縮領域は、前記前身頃と前記後身頃との接合又は係止位置を含む境界部近傍の全部又は一部に形成される弾性境界領域を含む請求項１〜６のいずれか１項に記載の使い捨ておむつ。
【請求項９】
前記前身頃には、前記開口可能部、又は前記開口部を含む位置に補助シートが設けられる請求項１〜８のいずれか１項に記載の使い捨ておむつ。
【請求項１０】
前記補助シートは、その全部又は一部に弾性部材を備える請求項９に記載の使い捨ておむつ。
【請求項１１】
前記補助シートは、その全部又は一部に前記吸収体が配置される請求項９又は１０に記載の使い捨ておむつ。
【請求項１２】
前記補助シートは、前記シャーシーの肌当接面側における前記開口可能部、又は前記開口部の股下方向側に接合されるとともに、前記前身頃の幅方向における一方から他方まで延びるように配置される請求項９〜１１のいずれか１項に記載の使い捨ておむつ。
【発明の詳細な説明】
【技術分野】
【０００１】
本発明は、使い捨ておむつに関する。特に男性性器を取り出し可能な開口部を有する使い捨ておむつに関する。
【背景技術】
【０００２】
従来より、高齢者や身障者等が使用する吸収性物品として、例えば、使い捨ておむつ、トレーニングパンツ、失禁用パンツなどがある。これらの吸収性物品は、いずれも着用者の生活習慣や介護レベルに応じて使い分けられている。ここで、使い捨ておむつは、高齢者や身障者等のように自力での排泄行為が困難な人に対して、その排泄物を漏らすことなく保持吸収することにより、介護用衛生品として、又は、排泄等のための補助具として使用されるのが一般的である。
【０００３】
しかしながら、使い捨ておむつは、自力での排尿行為が困難な人だけでなく、自力での排尿行為が可能な人であっても使用する場合がある。例えば、軽度の失禁症等の身障者や歩行が可能な高齢者等である。しかしながら、軽度の失禁症の身障者や歩行が可能な高齢者等は、おむつが一般的に自力での排尿行為が困難な人が使用するものであるという印象により、おむつを穿くこと自体に抵抗感を有することが多かった。これは、従来のおむつが漏れ防止の観点より、排尿時において、一般的な男性用下着に備えられているような男性性器を取り出すための排尿用取出し口等を有していないためである。これにより、自力で排尿する場合には、個室に入り、おむつを脱ぐ等の一般的な排尿時における動作とは異なる動作を必要としていた。そして、このような行為は、特に男性の着用者にとっては大変煩雑な行為であり、おむつを穿くことに対してより一層の抵抗感を与えるものであった。
【０００４】
これに対し、おむつの着用時であっても男性の性器の出し入れを可能とする吸収性物品が開示されている（例えば、特許文献１参照）。
【０００５】
特許文献１に記載の吸収性物品は、内面シートと、外面シートと、これらの間に設けられる中間シートとを備え、着用時に着用者の腹側に位置する腹側部と、背側に位置する背側部と、その間の股下部とに区分される紙おむつ本体と、紙おむつ本体の股下部に貼着される吸収体を有する。腹側部の内面及び外面シートには、装着時に男性性器を取り出し可能な開口部を形成するためのミシン目や領域が設けられ、中間シートをずらすことにより内面及び外面シートの開口部が連通して腹側部に貫通口が形成可能に構成されている。これにより、おむつ装着時であっても性器の出し入れができるというものである。
【先行技術文献】
【特許文献】
【０００６】
【特許文献１】特開２００５−８０９９６号公報
【発明の概要】
【発明が解決しようとする課題】
【０００７】
しかしながら、特許文献１に開示の紙おむつは、腹側部の内面及び外面シートに性器を取り出すための開口部は形成されているが、この開口部は、開口のみの構成であるため、開口部を広げにくく、男性性器を取り出しにくいという問題があった。また、この紙おむつは、着用者が排尿するにあたり、男性性器を開口部から取り出すために様々な動作を必要としていた。例えば、男性性器を取り出すにあたり、止着部材を外し、中間シートをずらす必要があった。このような行為は、例えば、麻痺等により片手しか使えない着用者にとっては、自力での排尿行為を困難なものとするものであった。さらには、中間シートが止着部材に止着されているため、中間シートを止着部材から外すとき、すなわち、排尿時に特有の音を発生させるおそれがあった。これにより、排尿時において周囲に紙おむつを着用していることを気づかれるおそれがあり、この紙おむつを使用することに対する抵抗感を増加させるものであった。
【０００８】
本発明は、以上のような課題に鑑みてなされたものであり、排尿時において、男性性器を容易に取り出し可能な使い捨ておむつを提供することを目的とする。
【課題を解決するための手段】
【０００９】
本発明者は、上記目的を達成するために、使い捨ておむつの所定位置に排尿用の開口部を設け、使い捨ておむつにおける所定の部位を伸縮可能に形成することにより、排尿行為が容易になることを見出し、本発明を完成するに至った。具体的には、以下のような使い捨ておむつを提供することを目的とする。
【００１０】
（１）  前身頃と、後身頃と、を少なくとも有するシャーシーと、該シャーシーの少なくとも一部に配設される液透過性の表面シートと、該表面シートの厚さ方向における一方側に配設される液不透過性の裏面シートと、前記表面シートと前記裏面シートとの間に配設される液保持性の吸収体と、を備える使い捨ておむつであって、前記前身頃には、該使い捨ておむつの長手方向に伸びて幅方向を二分する略中心線を跨いで互いに離間した点のそれぞれを結ぶ切り離し線に沿って前記前身頃の所定の部位を切り離し可能な開口可能部、又は、前記前身頃の所定の部位を開口可能な開口部が形成される使い捨ておむつ。
【００１１】
（２）  前記吸収体は、略縦長に形成されると共に、少なくとも前記前身頃に配置されており、前記開口可能部又は前記開口部は、前記前身頃における前記吸収体の所定の外縁から離間した位置に形成される（１）に記載の使い捨ておむつ。
【００１２】
（３）  該使い捨ておむつは、前記前身頃と前記後身頃とを所定の位置において、予め又は装着時に接合又は係止させることにより、胴開口部と、一対の脚開口部と、を有するパンツ形状に形成可能であり、前記パンツ形状における前記胴開口部近傍の前記後身頃の略中央部と、前記開口可能部近傍又は前記開口部近傍と、を前記パンツ形状における外周に沿って繋ぐ領域である開口伸縮領域において、少なくともその一部が伸張若しくは伸縮可能に形成される（１）又は（２）に記載の使い捨ておむつ。
【００１３】
（４）  前記開口伸縮領域における非伸張時に対する伸張時の伸張倍率が、少なくとも１．１倍以上に伸張可能に形成される（３）に記載の使い捨ておむつ。
【００１４】
（５）  前記開口伸縮領域は、前記前身頃の前記開口可能部、又は前記開口部の前記パンツ形状における股下方向側の所定の位置に形成される弾性開口領域を含む（３）又は（４）に記載の使い捨ておむつ。
【００１５】
（６）  前記開口伸縮領域は、前記後身頃における前記胴開口部近傍の前記後身頃の全部又は一部に形成される弾性後身頃領域を含む（３）又は（４）に記載の使い捨ておむつ。
【００１６】
（７）  前記開口伸縮領域は、前記前身頃と前記後身頃との接合又は係止位置を含む境界部近傍の全部又は一部に形成される弾性境界領域を含む（３）又は（４）に記載の使い捨ておむつ。
【００１７】
（８）  前記前身頃には、前記開口可能部、又は前記開口部を含む位置に補助シートが設けられる（１）から（７）のいずれかに記載の使い捨ておむつ。
【００１８】
（９）  前記補助シートは、その全部又は一部に弾性部材を備える（８）に記載の使い捨ておむつ。
【００１９】
（１０）  前記補助シートは、その全部又は一部に前記吸収体が配置される（８）又は（９）に記載の使い捨ておむつ。
【発明の効果】
【００２０】
本発明によれば、排尿時において、男性性器を容易に取り出し可能な使い捨ておむつを提供することができる。
【図面の簡単な説明】
【００２１】
【図１】本発明の第１実施形態に係る使い捨ておむつを示す図である。
【図２】第１実施形態に係る使い捨ておむつの展開状態における斜視分解組立図である。
【図３】パンツ型及び展開型の使い捨ておむつの装着状態を示す斜視図である。
【図４】前記実施形態に係るパンツ型の使い捨ておむつを示す図である。
【図５】前記実施形態に係る開口部を示す図である。
【図６】開口部と吸収体との位置関係を示す図である。
【図７】マスキングシートを示す図である。
【図８】マスキングシートの接合位置を示す正面図である。
【図９】マスキングシートの接合位置を示す断面図である。
【図１０】弾性部材の配置位置を示す正面図である。
【図１１】第１実施形態に係る使い捨ておむつの着用状態を示す斜視図である。
【図１２】第１実施形態に係る使い捨ておむつの開口部を広げた状態を示す斜視図である。
【図１３】伸縮領域を示す斜視図である。
【図１４】伸縮領域を示す斜視図である。
【図１５】伸縮領域を示す斜視図である。
【図１６】伸縮領域を示す斜視図である。
【図１７】第２実施形態に係る使い捨ておむつを示す展開図である。
【図１８】第２実施形態に係る使い捨ておむつを示す図である。
【図１９】第２実施形態に係る使い捨ておむつの着用状態を示す斜視図である。
【図２０】第２実施形態に係る使い捨ておむつの開口部を広げた状態を示す斜視図である。
【図２１】マスキングシートの他の実施形態を示す斜視図である。
【図２２】第３実施形態に係る使い捨ておむつの着用状態を示す斜視図である。
【図２３】第３実施形態に係る使い捨ておむつの開口部を広げた状態を示す斜視図である。
【図２４】第４実施形態に係る使い捨ておむつを示す展開図である。
【図２５】第４実施形態に係る使い捨ておむつの着用状態を示す斜視図である。
【図２６】第４実施形態に係る使い捨ておむつの開口部を広げた状態を示す斜視図である。
【発明を実施するための形態】
【００２２】
以下、本発明の実施形態について、図面を参照しながら説明する。なお、本発明の実施形態は、下記の実施形態に何ら限定されることなく、本発明の技術的範囲は、これに限定されるものではない。例えば、本実施形態においては、大人用の使い捨ておむつについて説明するが、本発明においてはこれに限らず、子供のトイレトレーニング用の使い捨ておむつ等について使用してもよい。
【００２３】
また、以下の実施形態において、使い捨ておむつのうち着用者の身体に向けられる側を肌当接面側とし、肌当接面側と反対側を非肌当接面側とする。
【００２４】
図１（Ａ）は、本発明の第１実施形態に係る使い捨ておむつの正面図である。図１（Ｂ）は、図１（Ａ）のＸ−Ｘ断面図である。図２は、第１実施形態に係る使い捨ておむつの展開状態における斜視分解組立図である。図３（Ａ）は、パンツ型の使い捨ておむつの装着状態を示す斜視図である。図３（Ｂ）は、展開型の使い捨ておむつの装着状態を示す斜視図である。図４（Ａ）は、第１実施形態に係る使い捨ておむつの展開図である。図４（Ｂ）は、図４（Ａ）の使い捨ておむつをパンツ型にした正面図である。図５（Ａ）は、第１実施形態に係る開口部を示す正面図である。図５（Ｂ）は、開口部の他の形態を示す正面図である。図５（Ｃ）は、開口部の他の形態を示す正面図である。図６（Ａ）は、開口部と吸収体との位置関係を示す正面図である。図６（Ｂ）は、開口部と吸収体との位置関係を示す展開図である。図７（Ａ）は、補助シートであるマスキングシートを示す斜視図である。図７（Ｂ）は、マスキングシートの他の形態を示す斜視図である。図８（Ａ）は、マスキングシートの接合位置を示す正面図である。図８（Ｂ）は、マスキングシートの他の接合位置を示す正面図である。図９（Ａ）、（Ｂ）、（Ｃ）、（Ｄ）、（Ｅ）は、マスキングシートの接合位置を示す断面図である。図１０（Ａ）は、弾性部材の配置位置を示す正面図である。図１０（Ｂ）は、弾性部材の他の配置位置を示す正面図である。
【００２５】
図１１は、第１実施形態に係る使い捨ておむつの着用状態を示す斜視図である。図１２は、図１１の開口部を広げた状態を示す斜視図である。図１３（Ａ）は、第１実施形態に係る使い捨ておむつの開口伸縮領域を示す斜視図である。図１３（Ｂ）は、開口伸縮領域が伸張することにより、開口部が開口した状態を示す図である。図１４（Ａ）は、弾性開口領域を示す斜視図である。図１４（Ｂ）は、弾性開口領域が伸張することにより、開口部が開口した状態を示す図である。図１５（Ａ）は、弾性後身頃領域を示す斜視図である。図１５（Ｂ）は、弾性後身頃領域が伸張することにより、開口部が開口した状態を示す図である。図１６（Ａ）は、弾性境界領域を示す斜視図である。図１６（Ｂ）は、弾性境界領域が伸張することにより、開口部が開口した状態を示す図である。図１７（Ａ）は、第２実施形態に係る使い捨ておむつを示す展開図である。図１７（Ｂ）は、第２実施形態に係る使い捨ておむつの開口部と吸収体との位置関係を示す展開図である。図１８（Ａ）は、第２実施形態に係る使い捨ておむつを示す斜視図である。図１８（Ｂ）は、図１８（Ａ）のＹ−Ｙ断面図である。図１９は、第２実施形態に係る使い捨ておむつの着用状態を示す斜視図である。図２０は、第２実施形態に係る使い捨ておむつの開口部を広げた状態を示す斜視図である。
【００２６】
図２１は、マスキングシートの他の実施形態を示す斜視図である。図２２は、第３実施形態に係る使い捨ておむつの着用状態を示す斜視図である。図２３は、第３実施形態に係る使い捨ておむつの開口部を広げた状態を示す斜視図である。図２４は、第４実施形態に係る使い捨ておむつを示す展開図である。図２５は、第４実施形態に係る使い捨ておむつの着用状態を示す斜視図である。図２６は、第４実施形態に係る使い捨ておむつの開口部を広げた状態を示す斜視図である。
【００２７】
［１］第１実施形態
［１．１］全体構成
本発明の第１実施形態における使い捨ておむつ１を用いて、本発明に係る使い捨ておむつの全体構成を説明する。第１実施形態に係る使い捨ておむつ１は、使い捨ておむつ本体１０と、使い捨ておむつ本体１０の所定の位置に形成される開口可能部５と、を備える。開口可能部５は、着用者の男性性器を取り出すために使用されるものである。したがって、第１実施形態に係る使い捨ておむつ１は、基本的には男性用として使用されるものである。
【００２８】
開口可能部５は、前身頃２における使い捨ておむつの長手方向に伸びて幅方向を二分する略中心線を跨ぐ互いに離間した点を結ぶ切り離し線に沿って、スリットや開口等の切断部を間欠的に連続して形成したものであり、使用時において、開口可能部５の股上方向側の一部を股上方向に引っ張ることにより切り離し、開口可能部５を開口させることにより使用する。また、開口可能部５は、補助シートであるマスキングシート６により覆われている。
【００２９】
図１から図４に示すように、使い捨ておむつ本体１０は、使い捨ておむつ本体１０の外形を形成し、装着時においてパンツ型に形成されるシャーシー１３と、シャーシー１３の肌当接面側に設けられ、表面層を構成する略縦長に形成された液透過性の表面シート１１と、表面シート１１の一方側であるシャーシー１３の非肌当接面側に設けられ、裏面層を構成する略縦長に形成された液不透過性の裏面シート１４と、表面シート１１と裏面シート１４との間である表面シート１１とシャーシー１３との間に配置され、吸収層を構成する略縦長に形成された液保持性の吸収体１２と、を有する。ここで、略縦長とは、長手方向と短手方向を有する略矩形のものを含むものとし、また、長手方向の両辺の一部が長手方向における中心方向に窪んだもの、若しくは、中心方向と反対方向に隆起したものを含むものとする。つまり、吸収体は、吸収体の長手方向の一部に幅方向における長さが異なるものを含むものとする。また、吸収体は、幅方向に縦長になるように配置されてもよく、股上方向に縦長になるように配置されてもよい。
【００３０】
吸収体１２は、ティッシュ（図示せず）や親水性不織布（図示せず）に包まれた状態で配置されてもよい。また、親水性不織布に包まれている場合、表面シート１１を用いない構成や表面シート１１を部分的にのみ使用する構成としてもよい。これにより、例えば、生産コストの減少を図ることが可能になる。さらに、裏面シート１４は、この裏面シート１４の非肌当接面側に不織布等を接合させたものを使用してもよい。裏面シート１４の非肌当接面側に不織布等を接合させることにより、着用者の装着時等における肌触りが向上するため好ましい。また、裏面シート１４にフィルムを使用した場合には、フィルムに不織布等を接合させることにより、例えば、フィルムの擦れから生じる不快な音の発生を防止できるため好ましい。
【００３１】
シャーシー１３は、着用時における前身頃２と、後身頃３と、前身頃２及び後身頃３の間に形成される股下部４と、を有する。シャーシー１３は、前身頃２と後身頃３との所定の位置である接合部８において、前身頃２と後身頃３とを接合することによりパンツ形状に形成されている。すなわち、着用状態において着用者の腹部周りに位置する胴開口部９と、着用者の両足のそれぞれに位置する一対の脚開口部７と、を有する。ここで、前身頃２と後身頃３との所定の位置とは、着用状態における股上方向と直行する方向（以下、幅方向という。）における前身頃２及び後身頃３の両端側のうち、脚開口部７を除いた部分をいう。また、前身頃２と後身頃３とは、例えば、使い捨ておむつ１の長手方向を二分する幅方向中心線で区別されるものも含む。
【００３２】
なお、本実施形態においては、図３（Ａ）に示すように、前身頃２と後身頃３とが所定の接合部８において接合されることにより胴開口部９及び一対の脚開口部７を有するパンツ型に形成される使い捨ておむつ１について説明するが、本発明においてはこれに限らない。例えば、図３（Ｂ）に示すような前身頃２と後身頃３とを係止部材８Ａ等で係止させることにより着用可能な展開型の使い捨ておむつ１Ａに用いてもよい。また、例えば、パンツ型に形成された使い捨ておむつの前身頃２及び後身頃３の所定の接合部８において展開型の使い捨ておむつ１Ａに用いられるような再係止が可能な面ファスナー等の係止部材により係止され、パンツ型の使い捨ておむつでありながら容易に当該おむつの係止を解除し、パンツ型の使い捨ておむつを展開及び再係止させることが可能な使い捨ておむつに用いてもよい。
【００３３】
表面シート１１及び吸収体１２は、略縦長に形成されており、シャーシー１３の前身頃２から後身頃３にかけて、股下部４に沿うようにして配置される。開口可能部５は、使い捨ておむつ本体１０の前身頃２におけるシャーシー１３の所定の位置に形成されている。例えば、前身頃２における吸収体１２から所定距離離間した位置において、吸収体１２の長手方向における一端側の一辺である外縁４１と略平行に配置されてもよい。
【００３４】
さらに、本発明においては、弾性部材と防漏シートを用いて形成される防漏壁、いわゆるレッグギャザー（図示せず）を使い捨ておむつ１の吸収体１２の幅方向の両端に沿って配置してもよい。具体的には、吸収体１２と、シャーシー１３若しくは裏面シート１４との間から吸収体１２の幅方向に延出するように防漏シートを設け、その防漏シートの幅方向端部に少なくとも１本以上の弾性部材を配置し、ホットメルト接着剤等により固定してもよい。防漏シートは、吸収体１２の幅方向に延出したままの状態であってもよく、吸収体１２の幅方向における中心方向に折り返すことにより、その折り返し部が吸収体１２の肌当接面側に配置されるようにしてもよい。
【００３５】
なお、レッグギャザーは、吸収体１２から吸収体１２の幅方向に延出している場合においては、吸収体１２の長手方向における略中心領域において、吸収体１２とレッグギャザーにおける弾性部材との距離が２０ｍｍ以上の範囲にあることが好ましい。また、レッグギャザーが折り返して配置されている場合においては、略中心領域においてレッグギャザーの防漏シートを幅方向に広げた状態において、吸収体１２とレッグギャザーにおける弾性部材との距離が２０ｍｍ以上の範囲にあることが好ましい。
【００３６】
［１．２］使い捨ておむつ本体
使い捨ておむつ本体１０は、図４（Ａ）及び（Ｂ）に示すように、前身頃２と後身頃３とが所定の接合部８において接合されることにより、胴開口部９及び一対の脚開口部７を有するパンツ形状に形成されている。
【００３７】
パンツ型に形成された着用前の状態における使い捨ておむつ本体１０の股上方向の長さ（股下部４から胴開口部９までの股上方向における長さの最大長）は、例えば、３５０ｍｍから４５０ｍｍが例示できる。また、使い捨ておむつ本体１０の股上方向と直行する方向（以下、幅方向という）の展開状態における各接合部８間の最大長は、例えば、４２５ｍｍから９００ｍｍが例示できる。なお、展開状態とは、図４（Ａ）に示すような前身頃２と後身頃３とが非接合である状態をいう。また、最大長とは、後述する糸状の弾性部材又は伸縮性を有する基材シート等の弾性力により縮んだ状態の使い捨ておむつ本体１０を幅方向、及び股上若しくは股下方向に引き伸ばすことにより得られる長さを含む。
【００３８】
また、使い捨ておむつ１を子供用として使用する場合には、例えば、パンツ型に形成された着用前の状態における子供用の使い捨ておむつ本体１０の股上方向の長さは、例えば、２００ｍｍから３００ｍｍが例示できる。また、子供用の使い捨ておむつ本体１０の幅方向の展開状態における各接合部８間の最大長は、例えば、３００ｍｍから４５０ｍｍが例示できる。
【００３９】
使い捨ておむつ本体１０は、使い捨ておむつ本体１０の外形を形成し、装着時においてパンツ型に形成されるシャーシー１３と、着用者の肌当接面側に設けられ、表面層を構成する略縦長に形成された液透過性の表面シート１１と、表面シート１１とシャーシー１３との間に配置され、吸収層を構成する略縦長に形成された液保持性の吸収体１２と、着用者の非肌当接面側に設けられ、裏面層を構成する略縦長に形成された液不透過性の裏面シート１４と、を備える。
【００４０】
なお、裏面シート１４は、第１実施形態においては、着用者の非肌当接面側に配置したが、本発明においてはこれに限らず、吸収体１２とシャーシー１３との間、若しくは、シャーシー１３が複数のシートから形成される場合においては、それぞれのシートの間に設けてもよい。
【００４１】
ここで、表面シート１１と吸収体１２とは、それぞれがホットメルト接着剤により貼り合わされるようにして接合される。また、表面シート１１及び吸収体１２とシャーシー１３とは、それぞれがホットメルト接着剤により貼りあわされるようにして接合される。同様に、シャーシー１３と裏面シート１４とは、それぞれがホットメルト接着剤により貼りあわされるようにして接合される。
【００４２】
ホットメルト接着の塗工パターンとしては、例えば、スパイラル塗工、コントロールシーム塗工、コーター塗工、カーテンコーター塗工、サミットガン塗工等が挙げられる。ホットメルト接着における接着剤の目付量は、１ｇ／ｍ２から３０ｇ／ｍ２が好ましく、さらには３ｇ／ｍ２から１０ｇ／ｍ２であることが好ましい。また、接着剤が線状に塗工されているパターンの場合には、その線径は３０μｍから３００μｍであることが好ましい。
【００４３】
前身頃２と後身頃３とは、接合部８において超音波シールにより間欠的に接合される。また、接合部における他の接合方法としては、熱シール及びホットメルト接着剤等による接合が例示できる。
【００４４】
図４（Ａ）及び（Ｂ）に示すように、使い捨ておむつ本体１０は、胴開口部９の周領域に複数の糸状の弾性部材９１が配置される。なお、弾性部材９１は、帯状のものであってもよい。また、弾性部材９１は、伸縮性不織布（ポリウレタンとポリプロピレンの混合繊維から形成される不織布等）や伸縮フィルム等の伸縮性を有する弾性シートを用いてもよい。
【００４５】
使い捨ておむつ本体１０の前身頃２及び後身頃３の全部又は一部には、糸状の弾性部材、若しくは、伸縮性不織布や伸縮フィルム等の伸縮性を有する弾性シートを配置してもよい。また、シャーシー１３に伸縮性を有する弾性シートを用いてもよい。
【００４６】
［１．３］開口可能部
図５（Ａ）に示すように、開口可能部５は、例えば、スリットや開口等の切断部ａを間欠的（間隔ｂ）に連続して形成したものであり（例えば、ミシン目状）、各切断部ａ間の隣接部分を破断させることにより、所定の大きさの開口を得ることが可能になる。ここで、展開状態における開口可能部５の最大長としては、例えば、１００ｍｍ以上であって、使い捨ておむつ本体１０の展開状態における幅方向の最大長の６０％以内の範囲における長さが例示できる。さらには、１２０ｍｍ以上であって、使い捨ておむつ本体１０の幅方向にかかる長さの４０％以内の範囲における長さが好ましい。着用者の男性性器を取り出すためには、開口可能部５の長さは、１００ｍｍ以上の長さが必要であるためである。また、開口可能部５の長さを使い捨ておむつ本体１０の幅方向にかかる長さの６０％の範囲を超える長さにすると、着用時における使い捨ておむつの引き上げが困難となり、使いづらいものとなってしまうためである。
【００４７】
具体的には、使い捨ておむつ１の幅方向における長さが５５０ｍｍの場合、開口可能部５の長さは２００ｍｍを例示できる。
【００４８】
間欠的に連続して形成される切断部ａのピッチとしては、例えば、１．０ｍｍから２０．０ｍｍの範囲にある切断部ａを０．５ｍｍから５．０ｍｍの範囲の間隔ｂで連続的に設けることができる。好ましくは、切断部ａの範囲は、２．０ｍｍから８．０ｍｍの範囲を例示できる。また、間隔ｂの範囲は、１．０ｍｍから３．０ｍｍの範囲を例示できる。なお、切断部ａは、間隔ｂと同じ長さか、若しくは、間隔ｂよりも長いことが好ましい。
【００４９】
開口可能部５は、開口可能部５の略中央部に２５ｍｍから６０ｍｍの開裂部（図示せず）を設けてもよい。なお、開裂部とは、開口可能部５におけるシャーシー１３の一部を切断したものをいう。このように、開口可能部５の略中央に開裂部を設けることにより、例えば、着用者が指等を開裂部に差し込むことが可能となり、そこから容易に開口可能部５を開口させることが可能になる。また、開口可能部５の両端に後述する補強用部材を設けた場合には、開口可能部５の補強用部材にかかる部分においては、予め開裂部を設けておくことが好ましい。補強用部材にかかる部分にまで間欠的に連続して形成される切断部ａを複数個形成してしまうと、補強用部材にかかる各切断部ａの間が切り離しにくくなるためである。
【００５０】
開口可能部５の略中央部に設けられる開裂部の長さとしては、具体的には、４０ｍｍを例示できる。また、補強用部材に係る開口可能部５における開裂部の長さとしては、具体的には、３０ｍｍが例示できる。例えば、開口可能部５の長さが２００ｍｍのものに対しては、両端における補強用部材にかかる開裂部の長さをそれぞれ３０ｍｍとし、略中央部における開裂部の長さを４０ｍｍとし、両端におけるそれぞれの開裂部と略中央部における開裂部の間は、切断部ａを４．０ｍｍ、間隔ｂを１．０ｍｍとすることが例示できる。
【００５１】
なお、本第１実施形態における開口可能部５は、スリットや開口等の切断部ａを間欠的に連続して形成したが、本発明においてはこれに限らない。例えば、図５（Ｂ）に示すように、開口可能部５は、シャーシー１３の一部を他のシャーシー１３よりも肉薄に形成することにより、他の部分よりも強度を弱くし、当該部分を切り離し可能とする切り離し線により形成してもよい。また、開口可能部５は、直線により形成したが、本発明においてはこれに限らず、例えば、曲線、及び直線と曲線との組み合わせにより形成してもよい。さらに、図５（Ｃ）に示すように、開口可能部５は、吸収体１２の一部を切り欠き、切り欠きに該当する部分に対して、斜め方向に湾曲若しくは、直線状に形成してもよい。また、吸収体１２の一部に、開口可能部５用の領域を設け、吸収体１２の内部に開口可能部５を設けてもよい。
【００５２】
スリットや開口等の切断部ａを間欠的に連続して形成した場合や切り離し線により開口可能部５を形成した場合においては、開口可能部５の両端が破断しないようにするために、シャーシー１３における開口可能部５の両端に補強用部材（図示せず）を接合することが好ましい。また、シャーシー１３が複数枚により構成されている場合においては、補強用部材は、各シャーシー１３の間であって、開口可能部５の両端に該当する場所に挟み込み、接合させてもよい。
【００５３】
補強用部材としては、例えば、幅方向、長手方向のいずれにおいても引裂き強度（測定法：Ａ−１法（シングルタング法）ＪＩＳ  Ｌ  １９０６）が５Ｎ以上を有する不織布、若しくはフィルム等の部材を用いることができる。補強用部材の大きさとしては、例えば、縦（股上方向）６０ｍｍ×横（幅方向）４０ｍｍの大きさを例示できる。なお、補強用部材は、例えば、ホットメルト接着、熱シール、超音波シール等を用いて開口可能部５の両端に接合してもよい。また、前身頃２を構成するシャーシー１３が複数枚により形成されている場合においては、それぞれのシャーシー１３の間に配置し、両面から当該部分を接合若しくは固定してもよい。
【００５４】
また、開口可能部５は、例えば、円や楕円等の滑らかな曲線からなる図形の形状をその両端部に形成してもよい。具体的には、円や楕円等の滑らかな曲線からなる図形の形状を備える穴を開口可能部５の両端に設けてもよい。このように、開口可能部５の両端に所定形状の穴を設けることにより、開口可能部５を開口させたときに、その両端における耐引裂かれ強度を増すことが可能になる。また、スリットや開口等の切断部ａを間欠的に連続して形成したもの及び切り離し線以外の形状からなる開口可能部５を有する場合においても、開口可能部５の両端に所定形状の穴を設けることにより、開口可能部５を開いたときに開口可能部５の両端にかかる力を分散させることが可能になり、開口可能部５の両端の破断を防止することが可能になる。
【００５５】
さらに、開口可能部５の両端を当該開口可能部のスリット等又は切り込み線の方向とは異なる方向に向かう更なる切込み線を入れてもよい。この両端における切り込み線は、円弧状、曲線、直線のいずれであってもよい。このように、開口可能部５の両端に所定方向に伸びる切り込み線を設けることにより、開口可能部５を開口させたときに、その両端における耐引裂かれ強度を増すことが可能になる。
【００５６】
本第１実施形態における開口可能部５は、スリットや開口等の切断部ａを間欠的に連続して形成したものを直線状に形成したが、本発明においてはこれに限らない。例えば、前身頃２における使い捨ておむつの長手方向に伸びて幅方向を二分する略中心線を跨ぐ２点を結ぶことにより形成される曲線、直線、及びそれらを組み合わせた線状に形成してもよい。具体的には、波状、山状等により形成してもよい。また、開口可能部５の一部又は全部を切り取り可能な構成としてもよい。例えば、開口可能部５を円形、楕円形、多角形等により形成し、当該部分の一部又は全部を切り取り可能に形成してもよい。
【００５７】
また、開口可能部５は、開口可能部５の位置を認識し易くするために、例えば、開口可能部５の股上方向側若しくは股下方向側に色彩を付したり、エンボス加工等による凹凸加工を施す構成としてもよい。このように、視覚や触覚により、開口可能部５の位置を認識し易くする標識を付する構成としてもよい。このような視覚や触覚による標識を付することにより、例えば、着用者自身が排尿する場合において、開口可能部５の位置が容易に認識可能となり、排尿行為がより容易となるため好ましい。また、例えば、寝たきりの患者等の排尿を補助する場合においても、介護者が患者等の着用しているおむつの開口可能部５の位置を容易に認識することができるため、介護における排尿補助を容易に行うことが可能となる。
【００５８】
さらに、開口可能部５に取手等の開口補助具を設けてもよい。このような開口補助具を設けることにより、例えば、着用者は、開口補助具を用いて開口可能部を容易に切り離し可能となるため好ましい。また、例えば、介護において寝たきりの患者等の排尿を補助する場合においても、おむつの開口可能部５を容易に広げることが可能となる。
【００５９】
［１．４］開口可能部の配置位置
図６（Ａ）に示すように、開口可能部５は、前身頃２における胴周域２３の範囲にあり、吸収体１２の所定の外縁４１である前身頃２における略縦長の吸収体１２の幅方向に伸びる一辺から、所定距離離間した位置に設けられることが好ましい。ここで、所定距離離間した位置とは、例えば、股上方向に離間した位置、及び、股下方向に離間した位置も含む。したがって、開口可能部５は、胴周域２３の範囲にあれば、吸収体１２の一部に開口可能部５を設ける構成としてもよい。この場合、吸収体１２は、吸収体１２の材料が漏れないように、開口可能部５の周域を密閉することにより形成することが好ましい。
【００６０】
開口可能部５の配置位置としては、例えば、図６（Ｂ）に示すように、胴開口部９端部から開口可能部５の下端までの距離をｃとし、開口可能部５の下端から展開状態における長手方向中央部Ｌまでの距離をｄとし、胴開口部９端部から展開状態における長手方向中央部Ｌまでの距離をｅとした場合において、ｄ／ｃに該当する値が、０．６５以上であり、８．０以下の範囲にあることが好ましい。
【００６１】
具体的には、開口可能部５は、胴開口部９端部から開口可能部５の下端までの距離ｃが５０ｍｍから２７０ｍｍの範囲にあることが好ましい。また、開口可能部５の下端から展開状態における長手方向中央部Ｌまでの距離ｄが１８０ｍｍから４００ｍｍの範囲にあることが好ましい。また、胴開口部９端部から展開状態における長手方向中央部Ｌまでの距離ｅが３５０ｍｍから４５０ｍｍの範囲にあることが好ましい。
【００６２】
また、開口可能部５は、吸収体１２の股上方向側に設けられることが好ましい。すなわち、開口可能部５は、吸収体１２の前身頃２における長手方向の端部から展開状態における長手方向中央部Ｌまでの距離をｆとし、開口部５の下端から吸収体１２の前身頃２における長手方向の端部までの距離をｇとした場合において、ｄ／ｆに該当する値が、１．０よりも大きく、２．３よりも小さい範囲にあることが好ましい。具体的には、吸収体１２は、吸収体１２の前身頃２における長手方向の端部から展開状態における長手方向中央部Ｌまでの距離ｆが１７５ｍｍから３９５ｍｍの範囲にあることが好ましい。また、開口部５の下端から吸収体１２の前身頃２における長手方向の端部までの距離ｇが５ｍｍから２２５ｍｍの範囲にあることが好ましい。
【００６３】
本実施形態に係る使い捨ておむつ１よりも小さい、いわゆる子供が使用する子供用の使い捨ておむつとしては、例えば、開口可能部５は、胴開口部９端部から開口可能部５の下端までの距離ｃが３５ｍｍから１８０ｍｍの範囲にあることが好ましい。また、開口可能部５の下端から展開状態における長手方向中央部Ｌまでの距離ｄが１２０ｍｍから２６５ｍｍの範囲にあることが好ましい。また、胴開口部９の端部から展開状態における長手方向中央部Ｌまでの距離ｅが２００ｍｍから３００ｍｍの範囲にあることが好ましい。
【００６４】
同様に、子供用の場合の吸収体１２は、吸収体１２の前身頃２における長手方向の端部から展開状態における長手方向中央部Ｌまでの距離ｆが１１５ｍｍから２６０ｍｍの範囲にあることが好ましい。また、開口可能部５の下端から吸収体１２の前身頃２における長手方向の端部までの距離ｇが５ｍｍから１５０ｍｍの範囲にあることが好ましい。
【００６５】
［１．５］マスキングシート
図７（Ａ）に示すように、マスキングシート６は、略矩形に形成されている。マスキングシート６は、開口可能部５を覆うようにしてシャーシー１３の肌当接面側、若しくは非肌当接面側に接合される。マスキングシート６の長手方向における長さは、開口可能部５の幅方向における長さよりも長くなるように形成される。すなわち、マスキングシート６は、開口可能部５の幅方向の全部を覆うことが可能な長さを備えていればよい。
【００６６】
マスキングシート６は、糸状に形成された複数の弾性部材６３を伸張させた状態で、一対の帯状の基材シート６１、６２で挟み込み、基材シート６１、６２のそれぞれを接着すると共に弾性部材の張力を解除することにより形成される、いわゆるギャザーを有する。すなわち、マスキングシート６は、このギャザーの分だけ伸張可能となる。言い換えると、ギャザーは、マスキングシート６を伸張させることによって消失する構成となっている。このように、マスキングシート６は、例えば、着用時においては、弾性部材６３の弾性力により着用者の腹部に当接すると共に、着用者が開口可能部５を開口させた場合においては、開口可能部５の開口状態に追従し、ギャザーの分だけ伸張可能となる。
【００６７】
また、図７（Ｂ）に示すように、マスキングシート６は、帯状に形成された弾性部材６４と基材シート６１のそれぞれを接着することにより形成してもよい。また、マスキングシート６は、帯状の弾性部材６４を一対の基材シート６１、６２で挟み込み、基材シート６１、６２のそれぞれを接着することにより形成してもよい。さらに、マスキングシート６は、一枚の基材シート６１を折りたたみ、その間に弾性部材６３、６４を挟み込んで形成してもよい。マスキングシート６は、帯状の弾性部材として伸縮性不織布等の基材シートを用い、これをマスキングシート６としてもよい。
【００６８】
マスキングシート６は、前身頃２に形成される開口可能部５の全部を覆うように、接合部６５においてシャーシー１３に接合される。ここで、シャーシー１３とマスキングシート６との接合部６５としては、例えば、図８（Ａ）に示すように、マスキングシート６は、開口可能部５の股下方向側の一部及びマスキングシート６の長手方向両端側のそれぞれを接合してもよい。また、図８（Ｂ）に示すように、マスキングシート６は、開口可能部５の股上方向側の一部及びマスキングシート６の長手方向両端側のそれぞれにおいて、シャーシー１３と接合させてもよい。なお、接合部６５は、シャーシー１３の連続的に接合するものであってもよく、所定間隔で接合するものであってもよい。
【００６９】
また、図９（Ａ）に示すように、マスキングシート６は、シャーシー１３の肌当接面側の開口可能部５の股上方向側において接合してもよく、図９（Ｂ）に示すように、マスキングシート６は、シャーシー１３の非肌当接面側の開口可能部５の股上方向側において接合してもよい。さらに、図９（Ｃ）に示すように、マスキングシート６は、シャーシー１３の肌当接面側の開口可能部５の股下方向側において接合してもよく、図９（Ｄ）に示すように、マスキングシート６は、シャーシー１３の非肌当接面側の開口可能部５の股下方向側において接合してもよい。なお、図９（Ｅ）に示すように、マスキングシート６をシャーシー１３の肌当接面側の開口可能部５の股下方向側において接合した場合においては、マスキングシート６は、表面シート１１で接合部６５を覆うように形成してもよい。
【００７０】
このように、マスキングシート６は、その全部又は一部に弾性部材６３を備え、例えば、開口可能部５の非肌当接面側にマスキングシート６を設けた場合においては、開口可能部５におけるシャーシー１３を着用者の肌等に当接させることが可能になると共に、着用者の肌等が露出されることを防止することが可能になる。また、肌当接面側にマスキングシート６を設けた場合においては、開口可能部５におけるシャーシー１３を着用者の肌側に引き寄せることが可能となると共に、着用者の肌等が露出されることを防止することが可能になる。
【００７１】
また、マスキングシート６は、その全部又は一部に吸収体を配置してもよい。これにより、例えば、排尿行為において、男性性器を取り出す前に、尿がこぼれてしまった場合等においても、こぼれた尿をマスキングシート６で吸収することが可能となる。
【００７２】
［１．６］開口部近傍における弾性部材
図１０（Ａ）に示すように、マスキングシート６をシャーシー１３の肌当接面側の開口可能部５の股上方向側において接合した場合（図９（Ａ）参照）には、開口可能部５近傍の股下領域５１の少なくとも一部に弾性部材を設けることが好ましい。弾性部材は、糸状のものであってもよく、シート状のものであってもよい。
【００７３】
また、図１０（Ｂ）に示すように、マスキングシート６をシャーシー１３の肌当接面側の開口可能部５の股下方向側において接合した場合（図９（Ｃ）参照）には、開口可能部５近傍の股上領域５２の少なくとも一部に弾性部材を設けることが好ましい。弾性部材は、糸状のものであってもよく、シート状のものであってもよい。
【００７４】
このように、開口可能部５は、弾性部材を配置したマスキングシート６をシャーシー１３に接合することにより、着用者の肌を露出することなく、必要に応じて開閉することが可能になる。
【００７５】
［１．７］使用態様
本発明の第１実施形態における使い捨ておむつ１の使用態様について説明する。
【００７６】
図１１に示すように、第１実施形態における使い捨ておむつ１は、パンツ型に形成されており、着用者は、通常のパンツと同様に穿き、使用することが可能なおむつである。排尿時においては、着用者は、スリットや開口等の切断部を間欠的に連続して形成された開口可能部５近傍における股上方向側の一部、若しくは、前身頃２における胴開口部９の一部を引っ張ることにより、開口可能部５を開裂させ、開口を形成する。次いで、図１２に示すように、例えば、着用者が開口可能部５の開口の略中央部を指等で把持するか、若しくは指に引っ掛け、股下方向に引っ張る。これにより、開口可能部５の開口が股下方向に伸張し、所定の大きさの開口を確保することが可能になる。すなわち、着用者が開口可能部５の開口の略中央部を指等で把持するか、若しくは指に引っ掛け、股下方向に引っ張ると、胴開口部９近傍の後身頃３の略中央部と開口可能部５近傍の前身頃２の略中央部とをパンツ形状における外周に沿って繋ぐ領域である開口伸縮領域５３（図１３（Ａ）参照）の少なくとも一部が弾性力により伸張するため、開口可能部５の開口が股下方向に伸張し、所定の大きさの開口を確保することが容易となる（図１３（Ｂ）参照）。
【００７７】
伸縮する部位としては、例えば、図１４（Ａ）及び（Ｂ）に示すように、開口可能部５の開口方向における股下方向側において、伸縮可能な弾性部材を用いることにより、弾性開口領域５４を設け、開口伸縮領域５３としてもよい。また、例えば、図１５（Ａ）及び（Ｂ）に示すように、胴開口部９近傍の後身頃３における周域において、伸縮可能な弾性部材を用いることにより、弾性後身頃領域５５を設け、開口伸縮領域５３としてもよい。さらには、例えば、図１６（Ａ）及び（Ｂ）に示すように、前身頃２と後身頃３との接合又は係止位置を含む境界部の領域における全部又は一部において、伸縮可能な弾性部材を用いることにより、弾性境界領域５６を設け、開口伸縮領域５３としてもよい。また、開口弾性領域５４、弾性後身頃領域５５及び弾性境界領域５６のそれぞれを組み合わせたものを設け、開口伸縮領域５３としてもよい。
【００７８】
なお、開口可能部５がスリットや開口等の切断部を間欠的に連続して形成した場合等により、使用前において開口していない状態である場合においては、開口可能部５を跨ぐ股下方向又は股上方向の一部を引っ張ることにより、予め開口可能部５を開口させておく必要がある。
【００７９】
このように、着用者は、片手で所定の大きさの開口を確保することが可能となるため、容易に男性性器を取り出すことが可能となる。これにより、着用者は、おむつを脱ぐことなく、容易に排尿することが可能になる。また、開口可能部５における開口方向が股下方向に向かっており、かつ、使い捨ておむつの幅方向の開口形状となっているため、例えば、右利きの人でも、左利きの人でも関係なく、容易に開口可能部５を開口させることができる。また、開口可能部５の肌当接面側には、伸縮性を有するマスキングシート６が接合されているため、通常時及び排尿後には、着用者の腹部と当接可能となり、不要に肌が露出することを防止することができる。
【００８０】
［２］他の実施形態
図１７から図２７を用いて、本発明の第２実施形態から第４実施形態について説明する。第２実施形態は、シャーシー１３Ａ、１３Ｂを前身頃２における所定位置において重ね合わせることにより、開口部５Ｂを形成した他の実施形態を示す。第３実施形態は、前身頃２と後身頃３との境界部に弾性部材を配置し、開口可能部５Ｃの股上方向側及び股下方向側の部分の応力をそれ以外の部分の応力よりも小さくする他の実施形態を示す。第４実施形態は、シャーシー１３Ｃとシャーシー１３Ｄとを前身頃２における所定位置において重ね合わせることにより開口部５Ｄを形成し、前身頃２と後身頃３との境界部に弾性部材を配置して開口部５Ｄの股上方向側及び股下方向側の部分の応力をそれ以外の部分の応力よりも小さくする他の実施形態を示す。
【００８１】
なお、以下の実施形態において、特に説明しない部分は、第１実施形態と同様であり、図面に付した番号も第１実施形態と同様である場合は、同じ番号を付している。
【００８２】
［２．１］第２実施形態
図１７から図２０を用いて、本発明の第２実施形態における使い捨ておむつ１Ｂについて説明する。図１７から図２０に示すように、第２実施形態における使い捨ておむつ１Ｂは、開口部５Ｂを形成する構成において第１実施形態と異なる。具体的には、図１７に示すように、開口部５Ｂは、略矩形に形成されたシャーシー１３Ｂをシャーシー１３Ａの前身頃２における所定位置において、所定量重ね合わせることにより重なり代を設け、この重なり代の両側部である一対の接合部２１において接合することにより前身頃２を形成する。重なり代は、前身頃２の略中央部において非接合部２２を設けることにより、開口可能となる。このようにして、第２実施形態における使い捨ておむつ１Ｂは、開口部５Ｂが形成される。
【００８３】
展開状態における開口部５Ｂの最大長としては、例えば、１００ｍｍ以上であって、使い捨ておむつ本体１０の展開状態における幅方向の最大長の６０％以内の範囲における長さが例示できる。さらには、１２０ｍｍ以上であって、使い捨ておむつ本体１０の幅方向にかかる長さの４０％以内の範囲における長さが好ましい。着用者の男性性器を取り出すためには、開口部５Ｂの長さは、１００ｍｍ以上の長さが必要であるためである。また、開口部５Ｂの長さを使い捨ておむつ本体１０の幅方向にかかる長さの６０％の範囲を超える長さにすると、着用時における使い捨ておむつの引き上げが困難となり、使いづらいものとなってしまうためである。
【００８４】
前身頃２における重なり代の長さとしては、例えば、１５ｍｍ以上の範囲を例示できる。さらには、３０ｍｍ以上であることが好ましい。また、非接合部２２は、その一部又は全部に、糸状に形成された複数の弾性部材６３が配置される。なお、弾性部材６３としては、帯状に形成された弾性部材を用いてもよい。例えば、伸縮性不織布や伸縮フィルムを用いてもよい。
【００８５】
また、開口可能な非接合部２２は、ドット形状等の所定の形状であって、容易に剥がすことが可能な状態でその一部を接合してもよい。すなわち、非接合部２２の全部を非接合としてもよく、その一部を容易に剥がすことが可能な程度の接合手段により接合してもよい。接合部２１の接合方法としては、ホットメルト接着、熱シール及び超音波シール等による接合が例示できる。
【００８６】
また、開口部５Ｂは、開口部５Ｂの位置を認識し易くするために、例えば、開口部５Ｂの股上方向側若しくは股下方向側に色彩を付したり、エンボス加工等による凹凸加工を施す構成としてもよい。このように、視覚や触覚により、開口部５Ｂの位置を認識し易くする標識を付する構成としてもよい。このような視覚や触覚による標識を付することで、例えば、着用者自身が排尿する場合において、開口部５Ｂの位置を容易に認識可能となり、排尿行為がより容易となるため好ましい。また、例えば、寝たきりの患者等の排尿を補助する場合においても、介護者は患者等の着用しているおむつの開口部５Ｂの位置を容易に認識することができるため、介護における排尿補助を容易に行うことが可能となる。
【００８７】
さらに、開口部５Ｂに取手等の開口補助具を設けてもよい。このような開口補助具を設けることにより、例えば、着用者は、開口補助具を用いて開口可能部を容易に切り離し可能となるため好ましい。また、例えば、介護において寝たきりの患者等の排尿を補助する場合においても、おむつの開口部５Ｂを容易に広げることが可能となる。
【００８８】
開口部５Ｂは、前身頃２における胴周域２３の範囲にあることが好ましい。すなわち、開口部５Ｂは、吸収体１２の所定の外縁、すなわち、前身頃２における吸収体１２の幅方向に伸びる一辺から、所定間隔離間した位置に設けられる。開口部５Ｂの配置位置としては、例えば、胴開口部９端部からシャーシー１３Ａの上端までの距離をｈとし、シャーシー１３Ａの上端から展開状態における長手方向の中央部Ｌまでの距離をｉとし、胴開口部９端部から展開状態における長手方向中央部Ｌまでの距離をｊとした場合において、ｉ／ｈに該当する値が、０．６５以上であり、８．０以下の範囲にあることが好ましい。
【００８９】
具体的には、開口部５Ｂは、胴開口部９端部からシャーシー１３Ａの上端までの距離ｈが５０ｍｍから２７０ｍｍの範囲にあることが好ましい。また、シャーシー１３Ａの上端から展開状態における長手方向の中央部Ｌまでの距離ｉが１８０ｍｍから４００ｍｍの範囲にあることが好ましい。また、胴開口部９端部から展開状態における長手方向中央部Ｌまでの距離ｊが３５０ｍｍから４５０ｍｍの範囲にあることが好ましい。
【００９０】
また、開口部５Ｂは、吸収体１２の股上方向側に設けられることが好ましい。すなわち、開口部５Ｂは、吸収体１２の前身頃２における長手方向の端部から展開状態における長手方向中央部Ｌまでの距離をｋとし、シャーシー１３Ａの上端から吸収体１２の前身頃２における長手方向の端部までの距離をｌとした場合において、ｉ／ｋに該当する値が、１．０よりも大きく、２．３よりも小さい範囲にあることが好ましい。具体的には、吸収体１２は、吸収体１２の前身頃２における長手方向の端部から展開状態における長手方向中央部Ｌまでの距離ｋが１７５ｍｍから３９５ｍｍの範囲にあることが好ましい。また、シャーシー１３Ａの上端から吸収体１２の前身頃２における長手方向の端部までの距離ｌが５ｍｍから２２５ｍｍの範囲にあることが好ましい。
【００９１】
本実施形態に係る使い捨ておむつ１よりも小さい、いわゆる子供が使用する子供用の使い捨ておむつとしては、例えば、開口部５Ｂは、胴開口部９端部からシャーシー１３Ａの上端までの距離ｈが３５ｍｍから１８０ｍｍの範囲にあることが好ましい。また、シャーシー１３Ａの上端から展開状態における長手方向の中央部Ｌまでの距離ｉが１２０ｍｍから２６５ｍｍの範囲にあることが好ましい。また、胴開口部９の端部から展開状態における長手方向中央部Ｌまでの距離ｊが２００ｍｍから３００ｍｍの範囲にあることが好ましい。
【００９２】
同様に、子供用の場合の吸収体１２は、吸収体１２の前身頃２における長手方向の端部から展開状態における長手方向中央部Ｌまでの距離ｋが１１５ｍｍから２６０ｍｍの範囲にあることが好ましい。また、シャーシー１３Ａの上端から吸収体１２の前身頃２における長手方向の端部までの距離ｌが５ｍｍから１５０ｍｍの範囲にあることが好ましい。
【００９３】
また、図１８に示すように、シャーシー１３Ａ及びシャーシー１３Ｂの開口部５Ｂ近傍うち、少なくとも一方側には弾性部材を設けることが好ましい。この場合、弾性部材は、糸状であってもよく、シート状であってもよい。なお、弾性部材は、シャーシー１３Ａ及びシャーシー１３Ｂの開口部５Ｂ近傍の両方側に設けてもよい。
【００９４】
使い捨ておむつ１Ｂの使用態様としては、図１９及び図２０に示すように、例えば、着用者が非接合部２２に形成された開口部５Ｂにおけるシャーシー１３Ａの略中央部を指に引っ掛け、股下方向に引っ張る。これにより、開口伸縮領域５３の一部である弾性後身頃領域５５が弾性力により伸張するため、開口部５Ｂの開口が股下方向に伸張し、所定の大きさの開口を確保することが容易となる。
【００９５】
このように、前身頃２において、シャーシー１３Ａとシャーシー１３Ｂとを重ね合わせ、接合部２１及び非接合部２２から構成される開口部５Ｂを設け、開口部５Ｂに弾性部材６３を配置することにより、必要に応じて開口可能な開口部５を設けることが可能になる。また、非接合部２２を前述のドット形状に接合した場合においても、接合を容易に剥がすことができる構成としているため、同様に必要に応じて開口可能な開口部５Ｂを設けることが可能になる。なお、第２実施形態においては、マスキングシート６を配置しなかったが、本発明においてはこれに限らない。第１実施形態と同様に、第２実施形態においてもマスキングシート６を配置する構成としてもよい。
【００９６】
［２．２］第３実施形態
図２１から図２３を用いて、本発明の第３実施形態における使い捨ておむつ１Ｃについて説明する。図２２に示すように、第３実施形態における使い捨ておむつ１Ｃは、前身頃２と後身頃３との接合又は係止位置を含む境界部近傍に糸状の弾性部材、若しくは、伸縮性不織布や伸縮フィルム等の帯状の弾性部材を配置し、弾性境界領域５６を設ける。これにより、胴周域２３において、開口可能部５Ｃの股上方向及び股下方向の応力がそれ以外の部分の応力よりも小さくなる。なお、脚開口部７近傍においては、糸状の弾性部材、若しくは、伸縮性不織布や伸縮フィルム等の帯状の弾性部材は、全周又はその一部に配置されていてもよいし、配置されていなくてもよい。
【００９７】
図２１に示すように、第３実施形態における使い捨ておむつ１Ｃにかかるマスキングシート６Ｃは、目付が１０ｇ／ｍ２から３０ｇ／ｍ２の不織布６７を１枚、若しくは、複数枚積層させたものを使用することができる。この場合、マスキングシート６Ｃは、必ずしも弾性部材を必要とするものではない。また、マスキングシート６Ｃが複数枚の不織布６７からなる場合においては、不織布６７のいずれかの層にポリエチレン（ＰＥ）やポリプロピレン（ＰＰ）のフィルム等の液不透過性シート６６を張り合わせることにより形成してもよい。
【００９８】
このように、第３実施形態における使い捨ておむつ１Ｃは、開口可能部５Ｃの股上方向及び股下方向の部分の応力をそれ以外の部分の応力よりも小さくすることにより、装着状態における開口可能部５Ｃの長さを最大長に近い状態で保つことができ、また、開口伸縮領域５３の一部である弾性境界領域５６が弾性力により伸張するため、開口可能部５Ｃの開口が股下方向に伸張し、所定の大きさの開口を確保することが容易となる。
【００９９】
［２．３］第４実施形態
図２４から図２６を用いて、本発明の第４実施形態における使い捨ておむつ１Ｄについて説明する。図２４に示すように、第４実施形態における使い捨ておむつ１Ｄは、開口部５Ｄを形成する構成において第１実施形態と異なる。具体的には、開口部５Ｄは、略矩形状に形成されたシャーシー１３Ｄをシャーシー１３Ｃの前身頃２における所定位置において、所定量重ね合わせることにより重なり代を設け、この重なり代の両端部である一対の接合部２１において接合することにより前身頃２を形成する。重なり代は、前身頃２の略中央部において非接合部２２を設けることにより、開口可能となる。
【０１００】
なお、非接合部２２は、ドット形状等の所定の形状であって、容易に剥がすことが可能な状態でその一部を接合してもよい。すなわち、非接合部２２の全部を非接合としてもよく、その一部を容易に剥がすことが可能な程度の弱接合部を設けてもよい。接合部２１の接合方法としては、ホットメルト接着、熱シール及び超音波シール等による接合が例示できる。
【０１０１】
前身頃２における重なり代の長さとしては、例えば、１５ｍｍ以上の範囲を例示できる。さらには、３０ｍｍ以上であることが好ましい。
【０１０２】
また、図２５及び図２６に示すように、第４実施形態における使い捨ておむつ１Ｄは、前身頃２と後身頃３との接合又は係止位置を含む境界部近傍に糸状の弾性部材、若しくは、伸縮性不織布や伸縮フィルム等の帯状の弾性部材を配置し、弾性境界領域５６を設ける。これにより、胴周域２３において、開口可能部５Ｃの股上方向及び股下方向の応力がそれ以外の部分の応力よりも小さくなる。なお、脚開口部７近傍においては、糸状の弾性部材、若しくは、伸縮性不織布や伸縮フィルム等の帯状の弾性部材は、全周又はその一部に配置されていてもよいし、配置されていなくてもよい。
【０１０３】
このように、第４実施形態における使い捨ておむつ１Ｄは、前身頃２においてシャーシー１３Ｃとシャーシー１３Ｄとを重ね合わせ、接合部２１及び非接合部２２から構成される開口部５Ｄを設ける。そして、開口部５Ｄの股上方向及び股下方向の部分の応力をそれ以外の部分の応力よりも小さくすることにより、装着状態における開口部５Ｄの長さを最大長に近い状態で保つことができ、また、開口伸縮領域５３の一部である弾性境界領域５６が弾性力により伸張するため、開口部５Ｄの開口が股下方向に伸張し、所定の大きさの開口を確保することが容易となる。また、非接合部２２を前述したドット形状に弱接合した場合においても、接合が容易に剥がすことができる構成としているため、同様に、必要に応じて開口可能な開口部５Ｄを設けることが可能になる。
【０１０４】
なお、胴周域２３においては、弾性部材を設ける以外に、伸縮性を有する基材シートを用いる構成としてもよい。
【０１０５】
［３］各構成物
以下に、使い捨ておむつ１の各構成物について説明する。
【０１０６】
［３．１］使い捨ておむつ本体
［３．１．１］表面シート
表面シート１１は、使用時には身体側に配置されると共に排泄部に当接される。表面シート１１は、全面が液透過性であってもよく、一部が液透過性であってもよい。また、一枚のシート状部材で構成されていてもよく、複数のシート状部材が接着されて構成されていてもよい。
【０１０７】
表面シート１１としては、例えば、着用中に圧縮、捩れ、摩擦等による負荷がかかっても破損しない強度をもち、肌に刺激を与えない材料が好ましく、織布、不織布、或いは、有孔プラスチックシート等、液透過性を有するシート状材料を用いることができる。不織布としては、ポリオレフィン系、ポリエステル系等の疎水性繊維に親水処理を施したものをポイントボンド、エアスルー、スパンボンド等の製法により形成したものが例示できる。また、不織布の材料としては、例えば、天然繊維、化学繊維を主体として、目付けが１５ｇ／ｍ２から３５ｇ／ｍ２の範囲から得られる材料が例示できる。天然繊維としては、コットン等のセルロースを例示できる。また、化学繊維としては、レーヨン、再生セルロース、アセテート、トリアセテート等の半合成セルロース、熱可塑性疎水性化学繊維、若しくは親水化処理を施した熱可塑性疎水性化学繊維を例示できる。熱可塑性疎水性化学繊維としては、例えば、ポリエチレン（ＰＥ）、ポリプロピレン（ＰＰ）、ポリエチレンテレフタレート（ＰＥＴ）等の単繊維、ポリエチレン（ＰＥ）とポリプロピレン（ＰＰ）をグラフト重合してなる繊維、芯鞘構造等の複合繊維を例示できる。
【０１０８】
有孔プラスチックシートとしては、例えば、ポリエチレン（ＰＥ）、ポリプロピレン（ＰＰ）、ポリエチレンテレフタレート（ＰＥＴ）のような熱可塑性樹脂による有孔シートや、多孔質の発泡材等を例示できる。
【０１０９】
［３．１．２］吸収体
吸収体は、尿などの排出された体液を吸収、保持する。吸収体としては、例えば、高吸収性ポリマーと親水性繊維とが混合されて積層されたもの、或いは、高吸収性ポリマーが親水性シートにホットメルト接着剤等により固定化された構造を有してもよい。また、高吸収性ポリマーとしては、例えば、ポリアクリル酸塩系、デンプン／アクリル酸塩系などの吸収性ポリマーで、その吸水可能倍率が２０ｇ／ｇ以上、その粒度が１００μｍから８００μｍであるものが８０％以上を占めるものが例示できる。親水性繊維としては、例えば、粉砕したパルプ繊維やレーヨン繊維などが例示できる。親水性シートとしては、ポリオレフィン系、ポリエステル系などの疎水性繊維に親水処理を施したものから形成されるポイントボンド、エアスルー、スパンボンドなどの不織布（目付け１５ｇ／ｍ２から３５ｇ／ｍ２）が例示できる。ホットメルト接着剤としては、ＳＢＳ（スチレン−ブタジエン−スチレン共重合物）、ＳＩＳ（スチレン−イソブチレン−スチレン共重合物）、ＳＥＢＳ（スチレン−エチレン−ブチレン−スチレン共重合物）、ＳＥＰＳ（スチレン−エチレン−プロピレン−スチレン共重合物）、ＡＰＡＯ（Ａｍｏｒｐｈｏｕｓ  Ｐｏｌｙ  Ａｌｐｈａ  Ｏｒｅｆｉｎ）などをベースポリマーとしたものが例示できる。
【０１１０】
［３．１．３］シャーシー
シャーシー１３は、使い捨ておむつ本体１０の外形を構成する。シャーシー１３は、一枚のシート状部材で構成されていてもよく、複数のシート状部材が接着されて構成されていてもよい。なお、第１実施形態においては、使い捨ておむつ１は、シャーシー１３が前身頃２、後身頃３及び前身頃２と後身頃３との間に位置される股下部４を有し、シャーシー１３の所定位置に表面シート１１、吸収体１２及び裏面シート１４が配置されたものであるが、本発明においてはこれに限らない。例えば、シャーシー１３が前身頃２及び後身頃３を有し、表面シート１１、吸収体１２及び裏面シート１４を有する股下部４が独立してシャーシー１３と接合させるものであってもよい。この場合、股下部４における裏面シート１４とシャーシーとを接合してもよく、裏面シート１４にシャーシー１３の役割をもたせるものであってもよい。
【０１１１】
シャーシー１３は、例えば、通気性であり、着用中に圧縮、捩れ、摩擦等による負荷がかかっても、破損しない強度を有し、肌に刺激を与えない材料が好ましく、不織布、或いは、有孔プラスチックシート等、通気性を有するシート状材料を用いることができる。不織布としては、ポリオレフィン系、ポリエステル系等の合成繊維をポイントボンド、エアスルー、スパンボンド等により形成したものが例示できる。不織布の材料としては、例えば、天然繊維、化学繊維を主体として、目付けが１５ｇ／ｍ２から３５ｇ／ｍ２の範囲から得られる材料が例示できる。天然繊維としては、コットン等のセルロースを例示できる。また、化学繊維としては、レーヨン、再生セルロース、アセテート、トリアセテート等の半合成セルロース、熱可塑性疎水性化学繊維、若しくは親水化処理を施した熱可塑性疎水性化学繊維を例示できる。熱可塑性疎水性化学繊維としては、例えば、ポリエチレン（ＰＥ）、ポリプロピレン（ＰＰ）、ポリエチレンテレフタレート（ＰＥＴ）等の単繊維、ポリエチレン（ＰＥ）とポリプロピレン（ＰＰ）をグラフト重合してなる繊維、芯鞘構造等の複合繊維を例示できる。
【０１１２】
有孔プラスチックシートとしては、例えば、ポリエチレン（ＰＥ）、ポリプロピレン（ＰＰ）、ポリエチレンテレフタレート（ＰＥＴ）のような熱可塑性樹脂による有孔シートや、多孔質の発泡材等を例示できる。
【０１１３】
［３．１．４］裏面シート
裏面シート１４としては、例えば、ポリエチレン（ＰＥ）、ポリプロピレン（ＰＰ）等を主体とした熱可塑性フィルム、通気性の樹脂フィルム、スパンボンド又はスパンレース等の不織布に通気性の樹脂フィルムを接合したもの、ＳＭＳ（スパンボンド・メルトブロー・スパンボンド）の複数層等を用いることができる。好ましくは、例えば、ポリオレフィン系の樹脂を主体とし、目付が１０ｇ／ｍ２から３０ｇ／ｍ２の範囲から得られる樹脂フィルムが好ましい。
【０１１４】
［３．１．５］弾性部材
弾性部材９１としては、例えば、天然ゴムや、スチレン−ブタジエン、ブタジエン、イソプレン等の合成ゴムを用いることができる。また、シート状の弾性部材としては、例えば、目付けが３０ｇ／ｍ２から８０ｇ／ｍ２の発泡ポリウレタン、目付けが２０ｇ／ｍ２から７０ｇ／ｍ２のポリウレタンとポリプロピレンとの混合繊維から形成される不織布等を用いることができる。
【０１１５】
［３．１．６］接着剤
表面シート１１及び吸収体１２とシャーシー１３とは、それぞれがホットメルト接着剤により貼り合わされるようにして接合される。また、表面シート１１と吸収体１２とは、ホットメルト接着剤により貼り合わされるようにして接合される。なお、接合は、上記ホットメルト接着に限られず、例えば、熱シール、超音波シール等を単独又は組み合わせて使用してもよい。
【０１１６】
ホットメルト接着剤としては、ＳＢＳ（スチレン−ブタジエン−スチレン共重合物）、ＳＩＳ（スチレン−イソブチレン−スチレン共重合物）、ＳＥＢＳ（スチレン−エチレン−ブチレン−スチレン共重合物）、ＳＥＰＳ（スチレン−エチレン−プロピレン−スチレン共重合物）、ＡＰＡＯ（Ａｍｏｒｐｈｏｕｓ  Ｐｏｌｙ  Ａｌｐｈａ  Ｏｒｅｆｉｎ）などをベースポリマーとしたものが例示できる。ホットメルト接着により接合した場合における塗工パターンは、例えば、スパイラル塗工、コントロールシーム塗工、コーター塗工、カーテンコーター塗工、サミットガン塗工等が挙げられる。ホットメルト接着における接着剤の目付量は、１ｇ／ｍ２から３０ｇ／ｍ２が好ましく、さらには３ｇ／ｍ２から１０ｇ／ｍ２であることが好ましい。また、接着剤が線状に塗工されているパターンの場合には、その線径は３０μｍから３００μｍであることが好ましい。
【０１１７】
［３．２］マスキングシート
［３．２．１］基材シート
基材シート６１、６２としては、液透過性シート、又は液不透過性シートのいずれかを用いることができる。液透過性シートを用いる場合においては、例えば、表面シート１１として例示した液透過性シートをそれぞれ用いることができる。基材シート６１、６２は、厚さの薄い不織布であればよく、スパンボンド不織布、ポイントボンド不織布、スパンレース不織布等であり、目付けが１０ｇ／ｍ２から３０ｇ／ｍ２の範囲から得られる不織布が例示できる。これは、厚さの薄い不織布のほうが、帯状部の伸縮状態のスムーズ性が高まるためである。
【０１１８】
液不透過性シートを用いる場合においては、例えば、裏面シート１４として例示した液不透過性シートをそれぞれ用いることができる。液不透過性シートは、弾性部材に対して、肌当接面側にあってもよく、非肌当接面側にあってもよい。
【０１１９】
［３．２．２］弾性部材
弾性部材６３としては、例えば、天然ゴムや、スチレン−ブタジエン、ブタジエン、イソプレン等の合成ゴムを用いることができる。また、シート状の弾性部材としては、例えば、目付けが３０ｇ／ｍ２から８０ｇ／ｍ２の発泡ポリウレタン、目付けが２０ｇ／ｍ２から７０ｇ／ｍ２のポリウレタンとポリプロピレンとの混合繊維から形成される不織布等を用いることができる。
【０１２０】
［３．２．３］接着剤
基材シート６１、６２と弾性部材６３との接合、又は基材シート６１、６２同士の接合で、ホットメルト接着剤により基材シート６１、６２を接合する場合においては、スパイラル塗工、コントロールシーム塗工、コーター塗工、カーテンコーター塗工、サミットガン塗工等の塗工方法によりホットメルト接着剤を塗工し、その上に弾性部材６３を重ね、さらにその上に基材シート６１、６２を重ね合わせて接合する。なお、弾性部材６３が基材シート６１、６２から外れにくくするために、予め弾性部材６３にスリット塗工、コントロールシーム塗工などの塗工方法で塗工しておいてもよい。また、接合は、上記ホットメルト接着に限られず、例えば、熱シール、超音波シール等を単独又は組み合わせて使用してもよい。
【０１２１】
ホットメルト接着剤としては、ＳＢＳ（スチレン−ブタジエン−スチレン共重合物）、ＳＩＳ（スチレン−イソブチレン−スチレン共重合物）、ＳＥＢＳ（スチレン−エチレン−ブチレン−スチレン共重合物）、ＳＥＰＳ（スチレン−エチレン−プロピレン−スチレン共重合物）、ＡＰＡＯ（Ａｍｏｒｐｈｏｕｓ  Ｐｏｌｙ  Ａｌｐｈａ  Ｏｒｅｆｉｎ）などをベースポリマーとしたものが例示できる。ホットメルト接着における接着剤の目付量は、１ｇ／ｍ２から３０ｇ／ｍ２が好ましく、さらには３ｇ／ｍ２から１０ｇ／ｍ２であることが好ましい。また、接着剤が線状に塗工されているパターンの場合には、その線径は３０μｍから３００μｍであることが好ましい。
【符号の説明】
【０１２２】
１    使い捨ておむつ
２    前身頃
３    後身頃
４    股下部
５、５Ｃ    開口可能部
５Ｂ、５Ｄ    開口部
６    マスキングシート
７    脚開口部
８    接合部
９    胴開口部
１１    表面シート
１２    吸収体
１３    シャーシー
１４    裏面シート
【図１】
0005462232.tif 000002
【図２】
0005462232.tif 000003
【図３】
0005462232.tif 000004
【図４】
0005462232.tif 000005
【図５】
0005462232.tif 000006
【図６】
0005462232.tif 000007
【図７】
0005462232.tif 000008
【図８】
0005462232.tif 000009
【図９】
0005462232.tif 000010
【図１０】
0005462232.tif 000011
【図１１】
0005462232.tif 000012
【図１２】
0005462232.tif 000013
【図１３】
0005462232.tif 000014
【図１４】
0005462232.tif 000015
【図１５】
0005462232.tif 000016
【図１６】
0005462232.tif 000017
【図１７】
0005462232.tif 000018
【図１８】
0005462232.tif 000019
【図１９】
0005462232.tif 000020
【図２０】
0005462232.tif 000021
【図２１】
0005462232.tif 000022
【図２２】
0005462232.tif 000023
【図２３】
0005462232.tif 000024
【図２４】
0005462232.tif 000025
【図２５】
0005462232.tif 000026
【図２６】
0005462232.tif 000027